【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
被検体への複数回の光の照射により、前記被検体から発生する音響波を受信する複数の素子によって取得された信号に基づいて、画像データを生成する情報生成部と、
前記画像データに基づいた画像を表示部に表示させる表示制御部と、
を有し、
前記情報生成部は、前記複数回の光の照射が完了する前に、前記複数の素子の一部の素子から出力された前記信号に基づいて第１の画像データを生成し、
前記表示制御部は、前記複数回の光の照射が完了する前に、前記第１の画像データに基づいた画像を前記表示部に表示させ、
前記情報生成部は、前記複数回の光の照射が完了した後に、前記一部の素子よりも多くの素子から出力された前記信号に基づいて第２の画像データを生成し、
前記表示制御部は、前記複数回の光の照射が完了した後に、前記第２の画像データに基づいた画像を前記表示部に表示させる
ことを特徴とする情報取得装置。
【請求項２】
前記信号を、当該信号が出力された前記素子と対応させて記憶する記憶部と、
前記記憶部に記憶された前記信号から、所定の素子から出力された信号を選択する選択部と、をさらに有し、
前記情報生成部は、前記選択部により選択された前記信号に基づいて、前記画像データを生成する
ことを特徴とする請求項１に記載の情報取得装置。
【請求項３】
前記複数の素子は、複数のグループに分けられており、
前記選択部は、前記第１の画像データの生成のために、前記複数のグループから一部のグループを選択することで、選択された前記一部のグループに含まれる前記素子に対応する前記信号を選択する
ことを特徴とする請求項２に記載の情報取得装置。
【請求項４】
前記複数の素子は、前記複数の素子の指向軸が集まるように配置される
ことを特徴とする請求項３に記載の情報取得装置。
【請求項５】
前記複数のグループのそれぞれにおいて、グループに含まれる前記複数の素子が前記指
向軸の集まる領域に対して略均一に分散するように、前記複数の素子は前記複数のグループに分けられている
ことを特徴とする請求項４に記載の情報取得装置。
【請求項６】
前記複数のグループのそれぞれに含まれる前記複数の素子が等方的に配置されるように、前記複数の素子は前記複数のグループに分けられている
ことを特徴とする請求項３または４に記載の情報取得装置。
【請求項７】
前記複数の素子は、半球形状または球冠形状の支持体によって支持され、
前記複数のグループのそれぞれにおいて、前記グループに含まれる前記複数の素子は、前記支持体の曲率中心から見て略均一に分散するように配置される
ことを特徴とする請求項３ないし６のいずれか１項に記載の情報取得装置。
【請求項８】
前記記憶部は、前記複数のグループごとに、前記信号を連続した記憶領域に記憶する
ことを特徴とする請求項３ないし７のいずれか１項に記載の情報取得装置。
【請求項９】
前記複数の素子は、複数の螺旋の形状となるように配置されており、
前記選択部は、前記第１の画像データの生成のために、前記複数の螺旋の一部の螺旋を選択することにより、前記信号の選択を行う
ことを特徴とする請求項２ないし８のいずれか１項に記載の情報取得装置。
【請求項１０】
前記複数の素子と前記被検体との相対位置を変化させる位置制御部をさらに有し、
前記位置制御部による制御が行われているときは、前記第１の画像データが表示されることを特徴とする請求項１ないし９のいずれか１項に記載の情報取得装置。
【請求項１１】
前記情報生成部は、前記光の照射ごとに、前記一部の素子から出力された前記信号に基づいて前記第１の画像データを生成し、
前記表示制御部は、前記第１の画像データの表示として、前記光の照射ごとの前記第１の画像データに基づいた画像を前記表示部に表示させる
ことを特徴とする請求項１ないし１０のいずれか１項に記載の情報取得装置。
【請求項１２】
前記情報生成部は、前記音響波の発生源、前記音響波の初期音圧、光学エネルギー吸収密度、吸収係数、および前記被検体を構成する物質の濃度のうち、少なくともいずれか１つの情報を示す前記画像データを生成する
ことを特徴とする請求項１ないし１１のいずれか１項に記載の情報取得装置。
【請求項１３】
前記情報生成部は、前記第１の画像データとして、初期音圧分布または光学エネルギー吸収密度分布を示す画像データを生成し、前記第２の画像データとして、吸収係数分布または前記被検体を構成する物質の濃度分布を示す画像データを生成する
ことを特徴とする請求項１ないし１２のいずれか１項に記載の情報取得装置。
【請求項１４】
前記複数回の光の照射をする光源と、
前記複数の素子と、をさらに有する
ことを特徴とする請求項１ないし１３のいずれか１項に記載の情報取得装置。
【請求項１５】
被検体への複数回の光の照射により、前記被検体から発生する音響波を受信する複数の素子によって取得された信号に基づいて生成された画像の表示方法であって、
前記複数回の光の照射が完了する前に、前記複数の素子の一部の素子から出力された前記信号に基づいて第１の画像データを生成し、前記第１の画像データに基づいた画像を表示し、
前記複数回の光の照射が完了した後に、前記一部の素子よりも多くの素子から出力された前記信号に基づいて第２の画像データを生成し、前記第２の画像データに基づいた画像を表示する
ことを特徴とする表示方法。
【請求項１６】
請求項１５に記載の表示方法をコンピュータに実行させるためのプログラム。
【手続補正２】
【補正対象書類名】明細書
【補正対象項目名】０００９
【補正方法】変更
【補正の内容】
【０００９】
本発明は、以下の構成を採用する。すなわち、
被検体への複数回の光の照射により、前記被検体から発生する音響波を受信する複数の素子によって取得された信号に基づいて、画像データを生成する情報生成部と、
前記画像データに基づいた画像を表示部に表示させる表示制御部と、
を有し、
前記情報生成部は、前記複数回の光の照射が完了する前に、前記複数の素子の一部の素子から出力された前記信号に基づいて第１の画像データを生成し、
前記表示制御部は、前記複数回の光の照射が完了する前に、前記第１の画像データに基づいた画像を前記表示部に表示させ、
前記情報生成部は、前記複数回の光の照射が完了した後に、前記一部の素子よりも多くの素子から出力された前記信号に基づいて第２の画像データを生成し、
前記表示制御部は、前記複数回の光の照射が完了した後に、前記第２の画像データに基づいた画像を前記表示部に表示させる
ことを特徴とする情報取得装置である。
【手続補正３】
【補正対象書類名】明細書
【補正対象項目名】００１０
【補正方法】変更
【補正の内容】
【００１０】
本発明はまた、以下の構成を採用する。すなわち、
被検体への複数回の光の照射により、前記被検体から発生する音響波を受信する複数の素子によって取得された信号に基づいて生成された画像の表示方法であって、
前記複数回の光の照射が完了する前に、前記複数の素子の一部の素子から出力された前記信号に基づいて第１の画像データを生成し、前記第１の画像データに基づいた画像を表示し、
前記複数回の光の照射が完了した後に、前記一部の素子よりも多くの素子から出力された前記信号に基づいて第２の画像データを生成し、前記第２の画像データに基づいた画像を表示する
ことを特徴とする表示方法である。
【手続補正４】
【補正対象書類名】明細書
【補正対象項目名】発明の名称
【補正方法】変更
【補正の内容】
【発明の名称】情報取得装置